(57)【特許請求の範囲】
【請求項１】
壁パネル体の下端部に接床手段が備えられ、且つ、隣接する壁パネル体との接触により降下する補助接床手段が備えられており、壁パネル体同士が隣接する際に、補助接床手段が壁パネル体との接触により降下されて接床し、そして隣接する壁パネル体同士の隣り合う接床手段が降下されて接床したときに、補助接床手段により接床手段間の隙間が塞がれる状態となることを特徴とする可動間仕切り壁。
【請求項２】
補助接床手段は、壁パネル体の側端部から一部突出した幅方向進退部材と、幅方向進退部材に一部接触した昇降接床部材とを有しており、壁パネル体同士が隣接する際に、幅方向進退部材はその突出部分が他の壁パネル体により押圧されて壁パネル体幅方向へ進行し、昇降接床部材は幅方向進退部材の進行に連動して降下され接床する請求項１の可動間仕切り壁。
【請求項３】
接床手段は、壁パネル体の下端部において厚さ方向に対向して一対備えられており、補助接床手段は、この一対の接床手段間に備えられている請求項１または２の可動間仕切り壁。
【発明の詳細な説明】
【０００１】
【発明の属する技術分野】
この出願の発明は、可動間仕切り壁に関するものである。さらに詳しくは、この出願の発明は、建物内における部屋などの空間を間仕切る際に、隣接する壁パネル体において互いに隣り合う接床手段間の隙間をなくすことのできる、新しい可動間仕切り壁に関するものである。
【０００２】
【従来の技術】
従来より、建物内には、部屋などの空間を間仕切りするための可動間仕切り壁がしばしば用いられている。この可動間仕切り壁としては、たとえば図６に例示したような構造を有するものが知られている。
【０００３】
図６に例示した可動間仕切り壁は、壁パネル体（ウ）と、その上端部および下端部に備えられたランナー（エ）および接床手段（オ）とを基本構成として有している。この場合、壁パネル体（ウ）は、天井面（ア）に設けられたレール（カ）に沿ってランナー（エ）が走ることにより所望位置へ移動された後、接床手段（オ）が降下されて床面（イ）と当接することで、床面（イ）に対して固定されるとともに、下端面と床面（イ）との隙間も塞がれるようになる。
【０００４】
【発明が解決しようとする課題】
しかしながら、図６に例示したとおりの従来の可動間仕切り壁には、実用上改良すべき点があった。すなわち、図６からも分かるように、隣接する壁パネル体（ウ）間において、降下した接床手段（オ）同士の間に隙間が生じてしまうのである。その隙間が音や光の漏れ原因となり、完全な間仕切り空間が実現されなくなる。間仕切り壁は、部屋などを間仕切って独立した複数の空間を形成するために設けるのが一般的であるため、このような隙間は極力なくす必要がある。
【０００５】
この出願の発明は、以上の通りの事情に鑑みてなされたものであり、従来技術の問題点を解消し、隣接する壁パネル体において互いに隣り合う接床手段間の隙間をなくすことのできる、新しい可動間仕切り壁を提供することを課題としている。
【０００６】
【課題を解決するための手段】
この出願の発明は、上記の課題を解決するものとして、壁パネル体の下端部に接床手段が備えられ、且つ、隣接する壁パネル体との接触により降下する補助接床手段が備えられており、壁パネル体同士が隣接する際に、補助接床手段が壁パネル体との接触により降下されて接床し、そして隣接する壁パネル体同士の隣り合う接床手段が降下されて接床したときに、補助接床手段により接床手段間の隙間が塞がれる状態となることを特徴とする可動間仕切り壁を提供する。
また、この出願の発明は、この可動間仕切壁において、補助接床手段が、壁パネル体の側端部から一部突出した幅方向進退部材と、幅方向進退部材に一部接触した昇降接床部材とを有しており、壁パネル体同士が隣接する際に、幅方向進退部材はその突出部分が他の壁パネル体により押圧されて壁パネル体幅方向へ進行し、昇降接床部材は幅方向進退部材の進行に連動して降下され接床することや、接床手段が壁パネル体の下端部において厚さ方向に対向して一対備えられており、補助接床手段がこの一対の接床手段間に備えられていることをも提供する。
【０００７】
また、この出願の発明は、壁パネル体の下端部に接床手段が備えられ、且つ、隣接する壁パネル体との接触により降下する補助接床手段が備えられており、壁パネル体同士が隣接する際に、補助接床手段が降下されて、互いに隣り合う接床手段間の隙間が塞がれるようになっていることを特徴とする可動間仕切り壁をも提供し、この可動間仕切り壁において、補助接床手段が、壁パネル体の側端部から一部突出した幅方向進退部材と、幅方向進退部材に一部接触した昇降接床部材とを有しており、壁パネル体同士が隣接する際に、幅方向進退部材はその突出部分が他の壁パネル体により押圧されて壁パネル体幅方向へ進行し、昇降接床部材は幅方向進退部材の進行に連動して降下されて、互いに隣り合う接床手段間の隙間が塞がれるようになっていることや、接床手段が壁パネル体の下端部において厚さ方向に対向して一対備えられており、補助接床手段が一対の接床手段間に備えられていることをその態様として提供する。
【０００８】
【発明の実施の形態】
この出願の発明は、以上のとおりの特徴を持つものであるが、以下に添付した図面に沿って実施例を示し、さらに詳しくこの出願の発明の実施の形態について説明する。
【０００９】
【実施例】
［実施例１］
図１（ａ）（ｂ）は、各々、この発明の可動間仕切り壁の一実施例を示した隣接前および隣接後の要部断面図である。
【００１０】
これら図１（ａ）（ｂ）に例示した可動間仕切り壁では、まず、壁パネル体（１）の下端部において、その厚さ方向に対向するとともに幅方向に互いにズレた接床手段（２ａ）（２ｂ）が備えられている。さらに、壁パネル体（１）の側端部を、凸部（１１）および凹部（１２）を有する形状としている。
【００１１】
すなわち、この発明の可動間仕切り壁では、従来の可動間仕切り壁における接床手段（オ）（図６参照）を、壁パネル体（１）の厚さ方向に対向する一対の（つまり幅方向に沿った二列の）接床手段（２ａ）（２ｂ）に分割し、さらにそれら一対の接床手段（２ａ）（２ｂ）をパネル体（１）の幅方向に互いにズレるように組み込んでいる。
【００１２】
そして、図１（ｂ）に例示したように、壁パネル体（１）同士が隣接配置される際に、両壁パネル体（１）の互いに対応する凸部（１１）および凹部（１２）が嵌合された後、互いの一対の接床手段（２ａ）（２ｂ）が従来の降下機構・動作と同様にして壁パネル体（１）の下端部から降下される。降下された接床手段（２ａ）（２ｂ）は床面（図示していない）と当接する。
【００１３】
このとき、たとえば図２に例示したように、隣接する壁パネル体（１）間において、一方の接床手段（２ｂ）同士の間には隙間が生じるが、反対側においてその隙間に対応する位置に他方の接床手段（２ａ）が降下しているので、隙間は塞がれる（隠されるとも言える）こととなる。もちろん、見る方向を変えれば、接床手段（２ａ）同士の隙間は反対側の接床手段（２ｂ）によって塞がれている。
【００１４】
したがって、本実施例のこの発明によれば、間仕切られた両空間から見て、隣り合う接床手段（２ａ）間および接床手段（２ｂ）間には隙間がないこととなり、互いの光漏れや音漏れを抑制できるようになる。
【００１５】
［実施例２］
図３（ａ）（ｂ）は、各々、この発明の可動間仕切り壁の別の一実施例を示した隣接前および隣接後の要部断面図である。
【００１６】
これら図３（ａ）（ｂ）に例示した可動間仕切り壁では、図１の例と比べて、壁パネル体（１）の側端部における凸部（１１）および凹部（１２）の形状が異なるものとなっている。すなわち、図３（ａ）（ｂ）では、一方の壁パネル体（１）は、その側端部の略中央部分に凸部（１１）が設けられ、その凸部（１１）の両側が凹部（１２）となっている。これに対応するように、他方の壁パネル体（１）は、側端部の略中央部分に凹部（１２）が設けられ、その両側が凸部（１１）となっている。この場合でも、隣接する壁パネル体（１）の互いに対応する凸部（１１）および凹部（１２）が嵌合し、図１の場合と同様に、降下された接床手段（２ａ）（２ｂ）によって隙間が塞がれるようになる（図２参照）。
【００１７】
これらの実施例１および実施例２から分かるように、壁パネル体（１）側端部の凸部（１１）および凹部（１２）の形状・構造については、壁パネル体（１）の隣接時に両者が互いに嵌まり合い、降下された一対の接床手段（２ａ）（２ｂ）による隙間塞ぎが確実なものとなればよいので、特に詳細に限定されるものではない。
【００１８】
なお、上述の可動間仕切り壁において、接床手段（２ａ）（２ｂ）の幅方向のズレ量や、壁パネル体（１）側端部の凸部（１１）・凹部（１２）の突出量あるいは凹み量はいずれも、隣接する壁パネル体（１）同士の接床手段（２ａ）（２ｂ）間の隙間が上述したように隠され得る程度であればよいことは言うまでもない。
【００１９】
［実施例３］
図４（ａ）（ｂ）は、この発明の他の可動間仕切り壁の一実施例を示した隣接前および隣接後の要部正面図である。
【００２０】
たとえばこれら図４（ａ）（ｂ）に例示したように、この発明の可動間仕切り壁では、壁パネル体（１）の下端部に接床手段（２）が備えられ、且つ、隣接する壁パネル体（１）との接触により降下する補助接床手段（３）が備えられており、壁パネル体（１）同士が隣接する際に、補助接床手段（３）が降下されて、互いに隣り合う接床手段（２）間の隙間が塞がれるようになっている。
【００２１】
この場合さらに説明すると、図４に示した例では、補助接床手段（３）は、壁パネル体（１）の側端部から一部突出した幅方向進退部材（３１）と、幅方向進退部材（３１）に一部接触した昇降接床部材（３２）とを有している。
【００２２】
より具体的には、幅方向進退部材（３１）は、たとえばピン状物（あるいは棒状物）であり、その一部分が壁パネル体（１）の側端部から突出した状態となっており、隣接する他の壁パネル体（１）のたとえば側端面によって壁パネル体（１）の幅方向へ押圧されて、壁パネル体（１）内へ進行するようになっている。また逆に、隣接する他の壁パネル体（１）が離れた場合には、その押圧から開放されて、壁パネル体（１）外へ後退し、元の位置へ戻るようになっている。
【００２３】
他方、昇降接床部材（３２）は、幅方向進退部材（３１）に上端部が接触した状態となっているピン状あるいは棒状の降下部（３２１）と、この降下部（３２１）の下端部に取り付けられた接床部（３２２）とを有している。この場合、上述のように幅方向進退部材（３１）が壁パネル体（１）内へ進行すると、降下部（３２１）は、その上端部が幅方向進退部材（３１）の進行によって下方に押圧されて、降下する。これはたとえば、降下部（３２１）の上端部が傾斜形状となっており、その傾斜面を幅方向進退部材（３１）が滑るように進行すると同時に下方へ押圧することで実現される。したがってこの場合では、上端部の傾斜形状（たとえば傾斜角）およびその傾斜形状に対する幅方向進退部材（３１）の接触部分の形状や接触状態などに従って、降下部（３２１）の降下量が決まってくる。そして、このように降下部（３２１）が降下されると、接床部（３２２）も降下し、床面（５）に当接するようになる。
【００２４】
すなわち、壁パネル体（１）同士が隣接する際に、幅方向進退部材（３１）はその突出部分（図４の例では幅方向進退部材（３１）の突出部）が他の壁パネル体（１）により押圧されて壁パネル体（１）内幅方向へ進行し、昇降接床部材（３２）は幅方向進退部材（３１）の進行に連動して降下されるのである。したがって、昇降接床部材（３２）は、壁パネル体（１）を隣接させるだけで自動的に床面（５）へ降着するのである。
【００２５】
そして、隣接する壁パネル体（１）の互いに隣り合う接床手段（２）が床面（５）へ降着したとき、補助接床手段（３）により、接床手段（２）間の隙間が塞がれる状態となる。
【００２６】
なお、当然のことながら、隣接していた壁パネル体（１）が離れた場合には、上述したように、幅方向進退部材（３１）が元の位置へ戻るので、その下方押圧から開放されて昇降接床部材（３２）も上昇して元の位置へ戻る。
【００２７】
また、図４に示した例では、壁パネル体（１）同士の隣接において、補助接床手段（３）を備えた一方の壁パネル体（１）の側端部内へ、ある程度、他方の壁パネル体（１）の側端部が入り込むようになっている。これはたとえば、一方の壁パネル体（１）の側端部に凹部が設けられていることで実現できる。
【００２８】
［実施例４］
図５（ａ）（ｂ）は、各々、この発明の可動間仕切り壁のさらに別の一実施例を示した隣接前および隣接後の要部断面図である。
【００２９】
これら図５（ａ）（ｂ）に示した例では、壁パネル体（１）の側端部に凹部（１３）が設けられており、隣接する一方の壁パネル体（１）の凹部（１３）には凸状部を有する実部材（４ａ）が、他方の壁パネル体（１）の凹部（１３）には凹状部を有する実部材（４ｂ）が備えられている。補助接床手段（３）は、実部材（４ａ）の凸状部内に組み込まれており、幅方向進退部材（３１）の一部が凸状部から外方へ突出している。
【００３０】
この場合では、壁パネル体（１）が隣接すると、一方の実部材（４ａ）の凸状部と他方の実部材（４ｂ）の凹状部とが嵌合し、それと同時に、実部材（４ｂ）の凹面によって幅方向進退部材（３１）が壁パネル体（１）内へ押圧される。後は、上述した図４の例と同様に、幅方向進退部材（３１）の進行に連動した昇降接床部材（３２）の降下部（３２１）の降下および接床部（３２２）の降着によって、隣り合う接床手段（２ａ）間および接床手段（２ｂ）間の隙間が隠されることとなる。
【００３１】
なお、本実施例４ではメインの接床手段が、壁パネル体（１）の下端部において厚さ方向に対向した一対のもの（２ａ）（２ｂ）となっており、この場合では、補助接床手段（３）は一対の接床手段（２ａ）（２ｂ）間に備えられることとなり、それら接床手段（２ａ）（２ｂ）により挟まれることで補助接床手段（３）の露出を抑制することができる。
【００３２】
もちろん、この発明は以上の例に限定されるものではなく、細部については様々な態様が可能であることは言うまでもない。
【００３３】
【発明の効果】
以上詳しく説明したとおり、この発明の可動間仕切り壁では、壁パネル体を隣接させるだけで自動的に、隣り合う接床手段間の隙間が隠されることとなる。したがって、音漏れや光漏れの原因となる隙間の発生を簡単に防ぐことができ、優れた間仕切りが実現される。
【図面の簡単な説明】
【図１】（ａ）（ｂ）は、各々、この発明の可動間仕切り壁の一実施例を示した隣接前および隣接後の要部断面図である。
【図２】接床手段降下後のこの発明の可動間仕切り壁を例示した要部正面図である。
【図３】（ａ）（ｂ）は、各々、この発明の可動間仕切り壁の別の一実施例を示した隣接前および隣接後の要部断面図である。
【図４】（ａ）（ｂ）は、各々、この発明の他の可動間仕切り壁の一実施例を示した隣接前および隣接後の要部正面図である。
【図５】（ａ）（ｂ）は、各々、この発明の可動間仕切り壁のさらに別の一実施例を示した隣接前および隣接後の要部断面図である。
【図６】従来の可動間仕切り壁の一例を示した正面図である。
【符号の説明】
１  壁パネル体
１１  凸部
１２  凹部
１３  凹部
２，２ａ，２ｂ  接床手段
３  補助接床手段
３１  幅方向進退部材
３２  昇降接床部材
３２１  降下部
３２２  接床部
４ａ，４ｂ  実部材
５  床面
【図１】
0003601586.tif 000002
【図２】
0003601586.tif 000003
【図３】
0003601586.tif 000004
【図４】
0003601586.tif 000005
【図５】
0003601586.tif 000006
【図６】
0003601586.tif 000007